(57)【要約】  ディスプレイ及び入力装置であって、前面（８）及び後面（１０）を備えた基板（３０）と、基板（３０）の前面（８）に設けられていて、装置の前面（８）側から視認可能なディスプレイ、例えば電気泳動型ディスプレイとして動作できる複数個の層（３２，３４，３５，３６，３７，３９）と、基板（３０）に接続されていて、ユーザの指（１２）と基板（３０）の容量結合状態を検出する回路（５２，５４）とを有し、それにより、基板は、ユーザの指（１２）が基板（３０）の後面（１０）に触れたかどうか又はそのすぐ近くに位置しているかどうかを検出するタッチパッドとして動作できるようになっていることを特徴とするディスプレイ及び入力装置。
2007500389.tif 000002
【特許請求の範囲】
【請求項１】
ディスプレイ及び入力装置であって、
前面及び後面を備えた基板と、
前記基板の前記前面に設けられていて、前記装置の前記前面側から視認可能なディスプレイとして動作できる複数個の層と、
前記基板に接続されていて、ユーザの指と前記基板の容量結合状態を検出する回路とを有し、それにより、前記基板は、ユーザの指が前記基板の前記後面に触れたかどうか又は該後面に密接して位置しているかどうかを検出するタッチパッドとして動作できるようになっている、ディスプレイ及び入力装置。
【請求項２】
前記基板は、可撓性であることを特徴とする、請求項１に記載の装置。
【請求項３】
前記基板は、導電性材料で作られていることを特徴とする、請求項１又は２に記載の装置。
【請求項４】
前記基板は、可撓性箔から成ることを特徴とする、請求項２に従属した請求項３に記載の装置。
【請求項５】
前記基板は、前記後面に導電性被膜が被着された絶縁材料で作られていることを特徴とする、請求項１又は２に記載の装置。
【請求項６】
前記基板は、前記後面に被着された保護膜を有し、前記保護膜は、ユーザの指と前記基板の容量結合状態を検出させることができるほど薄いことを特徴とする、請求項１ないし５のいずれかに記載の装置。
【請求項７】
前記複数個の層は、電気泳動型ディスプレイとして動作できることを特徴とする、請求項１ないし６のいずれかに記載の装置。
【請求項８】
前記回路は、各々が前記基板の縁部上の互いに異なる箇所に接続された複数個の電流計を含むことを特徴とする、請求項１ないし７のいずれかに記載の装置。
【請求項９】
前記基板は、ほぼ矩形であり、前記複数個の電流計は、前記基板の各コーナ部のところにそれぞれ配置された電流計から成ることを特徴とする、請求項８に記載の装置。
【請求項１０】
ディスプレイ兼用入力装置としてのディスプレイ装置の使用法であって、前記ディスプレイ装置は、前面及び後面を備えた基板と、前記基板の前記前面に設けられた複数個の層とを有し、前記複数個の層は、ディスプレイとして動作でき、ディスプレイ兼用入力装置としての前記使用法は、前記基板の前記後面を容量結合シートとして用いることによって実施される、使用法。
【発明の詳細な説明】
【開示の内容】
【０００１】
本発明は、ディスプレイ及び入力装置に関し、特に、タッチスクリーン又はタッチパッド装置に関する。本発明は又、ディスプレイ及び入力装置を含む電子機器、特にハンドヘルド型電子機器に関する。
【０００２】
種々の電子機器は、フラットスクリーンディスプレイ及び１つ以上のユーザ入力手段を有している。かかる機器としては、例えば、いわゆるラップトップ型コンピュータ、携帯電話を含む電話及び携帯型情報端末（ＰＤＡ）が挙げられ、携帯型情報端末は、パーソナルオーガナイザとも呼ばれる。
【０００３】
多種多様なフラットスクリーンディスプレイ技術が知られている。大規模に市場に出されると共に大量生産されている周知の技術としては、例えば、液晶ディスプレイ（ＬＣＤ）やエレクトロルミネセンスディスプレイが挙げられる。最近において将来性を示しているあまり知られていないディスプレイ技術は、例えばワイ・チェン（Y. Chen ）他著，「A Conformable Electronic Ink Display using a Foil-Based a-Si TFT Array」，ＳＩＤ  ０１  ＤＩＧＥＳＴ，２００１年，Ｐ１５７〜１５９、ケー・アムンドソン（K. Amundson ）他著，「Flexible Active-matrix Display Constructed Using a Microcapsulated Electrophoretic material and an Organic-Semiconductor-based backplane」，エスアイディー  ０１  ダイジェスト（ＳＩＤ  ０１  ＤＩＧＥＳＴ），２００１年，Ｐ１６０〜１６３、及びピー・カズラス（P. Hazlas）他著，「Card-sized Active-matrix Electronic Ink Display」，ユーロディスプレイ（ＥＵＲＯＤＩＳＰＬＡＹ），２００２年，Ｐ２５９〜２６２に開示されているような電気泳動型ディスプレイの技術である。かかるディスプレイは、可撓性箔基板上に形成され、かくして、ディスプレイスクリーンを平らでないプロフィールの状態に撓ませることができる一方で良好なディスプレイ画像を保持する可撓性ディスプレイが得られる。
【０００４】
多種多様なユーザ入力手段が知られており、かかる入力手段としては、スイッチ、機械作動式キーボート及びコンピュータマウスが挙げられる。ユーザが入力手段を動作させると、機器内のプロセッサが、入力を処理し、通常それに従ってディスプレイ画像を変化させる。大抵の機器では、かかる入力手段は、ユーザがディスプレイを見ているとき、ユーザの視界内にあるように位置決めされる。
【０００５】
別の形態の入力手段は、タッチパッドである。タッチパッドを提供する公知の技術の一つは、抵抗型又は抵抗方式の技術であり、別の技術は、容量型又は容量方式方式の技術である。
【０００６】
或る機器では、ディスプレイ装置及びタッチパッド型入力手段は、一体形のディスプレイ及びユーザ入力装置の形態で具体化されている。かかる装置は、「タッチスクリーン」装置と呼ばれる場合が多い。これらの場合、ユーザは直接又は物体を用いてディスプレイの前部を押し又はディスプレイの前部に触れ（タッチし）、或いは表示領域上の所望の場所でディスプレイの前部に物体又は例えば指を近づける。表示領域上の場所は、スクリーン上に表示される入力の選択肢を表す場合が多い。
【０００７】
例えば、「容量型タッチスクリーン」技術の場合、ユーザの指は例えば、ディスプレイスクリーンの前部に設けられていて、ユーザにスクリーンを視認させる追加の透明な導電層に容量接触する。追加の透明な導電性層は、低電圧状態に保たれ、微弱な電流が、ユーザの指及び体を通ってアースに流れる。この電流は、タッチスクリーンの縁部に設けられた電圧源によって供給され、それぞれの電圧源からのそれぞれの電流の大きさを比較することにより、触れた箇所の場所を突き止めることができる。
【０００８】
タッチスクリーンを組み込んだ機器であればどれでも、しかしながら、特に、小型ハンドヘルド型機器では、指をディスプレイスクリーンの前部上又はそのすぐ近くに配置するための要件に起因して不都合が生じる。欠点の一つは、指が表示された画像の大部分を覆い隠すということにある。もう一つの欠点は、油脂や汚れがディスプレイスクリーン上に堆積する場合があり又はディスプレイスクリーンが物理的に損傷し又はこれに掻き傷が付く場合があり、画像品質が損なわれるということにある。さらにもう一つの欠点は、ディスプレイ装置上の座標位置と、入力手段に関する限りにおいてこれに対応した座標位置との間に正確な位置的較正が必要であるということにある（即ち、指位置をディスプレイ座標に一致させるようにするための要件の方が、例えばマウスとスクリーン上のカーソルを含む間接入力装置の場合の要件よりも厳しく、その理由は、カーソルが相対的調節によりユーザを正確なディスプレイ箇所に導くからであり、この方法は、カーソルを用いずに指そのものを用いた場合には行えない）。
【０００９】
前段落において言及した欠点を解決するため、ハンドヘルド型電子機器が開示されたが、このハンドヘルド型電子機器では、ディスプレイモジュールが機器のハウジングの前面に設けられ、別個のタッチパッドが機器のハウジングの後面に設けられている。例えば、イギリス国特許出願公開第２，３４４，９０５号明細書は、前側にＬＣＤが設けられ、後側にタッチパッドが設けられた携帯型情報端末を開示し、米国特許第５，５４３，５８８号明細書は、前面側にディスプレイスクリーンが設けられ、後面側に接触式物体位置検出器入力装置が設けられたハンドヘルド型コンピュータ処理装置を開示し、欧州特許出願公開第９１３，９７７号明細書は、前面にディスプレイが設けられ、後面に入力手段が設けられたハンドセット型無線電話を開示している。
【００１０】
本発明者の認識によれば、前段落に記載したような電子機器、特に、ディスプレイモジュールが機器のハウジングの前面に設けられ、別個のタッチパッドが機器のハウジングの後面に設けられたハンドヘルド型電子機器の場合に別の欠点が生じる。例えば、互いに別個のディスプレイ装置とタッチパッド装置を必要とすることにより、部品数及び組立て上の要件が増し、互いに別個のディスプレイ装置とタッチパッドを互いに上下に配置する上で必要となる全厚が望ましくない場合がある。本発明者の認識によれば、タッチスクリーン装置が一体形のものであるという利点を例えば前段落に記載した装置が後側から取り扱えるという利点と共に達成する手法を提供できれば望ましいが、これら利点は、従来相互に排他的であると理解されていた。
【００１１】
さらに、本発明者は、別個のリヤタッチスクリーンを備えた可撓性ディスプレイ、例えば上述の薄い箔を利用した電気泳動型ディスプレイの開示の事実については知らない。しかしながら、本発明者の認識によれば、従来手法を用いてかかるディスプレイを具体化すれば、剛性ディスプレイ装置には該当しない新たな問題、即ち、ディスプレイ表面を撓曲する（撓ませる）と、ディスプレイ装置とタッチパッドとの間の位置的対応関係、較正又はマッピングが損なわれるという問題が生じる恐れがある。それ故、本発明者の認識によれば、可撓性ディスプレイを撓曲したときにかかる効果を本来的に回避し、減少させ又は無くす性能を持つ或る形態のディスプレイ装置及びタッチパッド能力を提供することが望ましい。
【００１２】
第１の特徴では、本発明は、ディスプレイ及び入力装置であって、前面及び後面を備えた基板と、基板の前面に設けられていて、装置の前面側から視認可能なディスプレイとして動作できる複数個の層と、基板に接続されていて、ユーザの指と基板の容量結合状態を検出する回路とを有し、それにより、基板は、ユーザの指が基板の後面に触れたかどうか又は該後面に密接して位置しているかどうかを検出するタッチパッドとして動作できるようになっているディスプレイ及び入力装置を提供する。
【００１３】
この技術動向は、電子機器に必要な別々のモジュールの数を減少させると共に（或いは）全体寸法に関する要件を緩和させることができる一方で、驚くべきことにディスプレイ機能だけを実行する装置に存在する場合よりも多くのコンポーネント又は層を必要としないディスプレイ兼用入力装置を提供する。
【００１４】
基板は、可撓性であってもよい。この場合、この一体化された装置は、有利には、撓曲したときにこのディスプレイ機能とタッチパッド機能との間に少なくとも或る程度の固有の位置的対応関係、較正又はマッピングを提供することができる。
【００１５】
基板は、導電性材料で作られてもよく、基板は、可撓性箔から成るのがよい。これらの場合、上述の利点は、増進傾向がある。
【００１６】
もう一つの可能性として、基板は、後面に導電性被膜が被着された絶縁材料で作られてもよい。これにより、基板材料についてより広い選択が可能である。
【００１７】
基板は、後面に被着された保護膜を有してもよく、保護膜は、ユーザの指と基板の容量結合状態を検出させることができるほど薄い。これにより、有用なタッチパッド動作を依然として保持しながら基板の物理的保護が可能であり、このことは、薄い基板の場合に特に有利である。
【００１８】
ディスプレイ形式は、電気泳動型ディスプレイであるのがよい。この場合、公知の電気泳動型ディスプレイ、特にカプセル化電気泳動型ディスプレイの基板特性は、後面タッチスクリーンパッドとして用いるのに特に適している。
【００１９】
回路は、各々が基板の縁部上の互いに異なる箇所に接続された複数個の電流計を含む。
【００２０】
基板は、ほぼ矩形であってもよく、複数個の電流計は、基板の各コーナ部のところにそれぞれ配置された電流計から成る。
【００２１】
別の特徴では、本発明は、ディスプレイと入力の一体化装置としてのディスプレイ装置の使用法であって、ディスプレイ装置は、前面及び後面を備えた基板と、基板の前面に設けられた複数個の層とを有し、複数個の層は、ディスプレイとして動作でき、ディスプレイ兼用入力装置としての使用法は、基板の後面を容量結合シートとして用いることによって実施される使用法を提供する。
【００２２】
次に、添付の図面を参照して本発明の実施形態を例示として説明する。
【００２３】
図１は、ユーザの手に保持されている状態の本発明の第１の実施形態としての携帯型情報端末（ＰＤＡ）１の略図（同一縮尺ではない）である。
【００２４】
ＰＤＡ１は、プラスチック製ハウジング４を有し、このハウジング内には、ディスプレイ及び入力装置６が設けられている。ディスプレイ及び入力装置６は、前面８及び後面１０を有している。前面８は、ディスプレイ及び入力装置６のディスプレイ出力として機能し、使用中、表示された画像を前面８のところで視認することができる。分かりやすくするために、図１には画像の内容が示されておらず、これは、その代わりに以下に説明する図２に示されている。
【００２５】
使用に当たり、ユーザの手２は、ハウジング４を掴み、ディスプレイ及び入力装置６の前面８がユーザの方に向いてユーザにより視認できるようになっている。
【００２６】
さらに、このように掴むことにより、前面８の視界を覆い隠さず、しかも前面８に触れる必要なく、ユーザは、以下に詳細に説明するように、指１２を用いて、例えばデータ、指令又は選択肢を含む入力をＰＤＡ１に与えることにより、ディスプレイ及び入力装置６の後面１０上の互いに異なる場所に触れ又はこれを押すことができる。
【００２７】
好ましくは、後面１０に触れるために用いられる指１２は、ハウジング４を掴んでいるように同じ手２の人差し指又は中指である（又は、これら指の同時使用又は織り混ぜた使用も可能である）。
【００２８】
必要に応じて、ディスプレイ及び入力装置６に加えて他の入力を設けることができる。例えば、この実施形態では、ＰＤＡ１は、オン−オフスイッチ１４を有している。この実施形態では、他の全ての入力は、ディスプレイ及び入力装置６を介して設けられている。
【００２９】
ＰＤＡ１は、充電式電池（図示せず）の形態をした電源を更に有している。ＰＤＡ１は、ＰＤＡ１の動作を制御する制御回路（図示せず）を更に有し、この制御回路は、プロセッサを含む。制御回路は、ＰＤＡ１の動作を従来方式で制御し、かかる従来方式としては、ディスプレイ及び入力装置６のディスプレイ動作の従来型制御や駆動が挙げられる。加うるに、制御回路は、ディスプレイ及び入力装置６の後面１０に触れることにより得られるユーザの入力の検出及び処理を制御する。これについては、以下に詳細に説明する。制御回路は、ディスプレイ及び入力装置６により覆われていない領域でハウジング４の内部に設けられている。
【００３０】
図２は、本発明の第１の実施形態としての携帯型情報端末（ＰＤＡ）１の別の略図（同一縮尺ではない）であり、ディスプレイ及び入力装置６の前面８のところで視認できる表示画像１６の一例を示す図である。
【００３１】
画像１６は、ユーザの選択肢又は入力を表す複数個のアイコン１８を含む。例えば、画像１６がＰＤＡ１をオンにするたびに表示される画像の場合、各アイコン１８は、ユーザが例えばカレンダー、計算機、住所録等を選択できるＰＤＡ機能を表すことができる。
【００３２】
画像は、カーソル２０を更に含む。制御回路は、以下に説明するように、ディスプレイ及び入力装置６の後面１０上におけるユーザの指１２の運動に対応してカーソル２０を画像１６上で動かす。カーソルが所与の時間の長さにわたり、例えば１／２秒の間、特定のアイコン１８上に位置決めされたままであるとき、そのアイコン１８が選択される。他の実施形態では、ユーザがカーソル１６を所与の時点で位置決めして覆った所与のアイコン１８を選択できるようにする別個のスイッチ又はタッチパッド領域を設けてもよい。
【００３３】
ディスプレイ及び入力装置６は、次に図３を参照して詳細に説明する多層装置として製作されている。図３は、ディスプレイ及び入力装置６を構成する種々の層の概略断面図である。
【００３４】
ディスプレイ及び入力装置６は、後面１０側に、片面が研磨された厚さ２５０μｍの３０４等級導電性ステンレス鋼箔基板３０（即ち、これは可撓性導電性基板の一例である）を有している。絶縁パッシベーション層３２が、箔基板３０の研磨側を覆って被着されている。アクティブマトリクス層３４が、パッシベーション層３０上に形成されている。アクティブマトリククス層３４はそれ自体、従来方式で薄膜トランジスタ（ＴＦＴ）のアレイを構成するよう多数の半導電層及び絶縁層で形成されている。
【００３５】
「電子インキ」４０と呼ばれている構造が、グルー層３５によりアクティブマトリクス層３４上に積層されている。電子インキ４０は、厚さ１２５μｍのインジウム錫酸化物（ＩＴＯ）３７被覆ポリエステルシート３９に塗布されたマイクロカプセル化電気泳動材料３６（及びポリマー結合剤）から成る。かくして、図３の層構造に関し、グルー層３５が、アクティブマトリクス層３４の上に位置し、電気泳動層３６が、グルー層３５の上に位置し、ＩＴＯ層３７が、電気泳動層３６の上に位置し、ポリエステルシート３９が、ＩＴＯ層３７の上に位置し、更に、ディスプレイ及び入力装置６の前面８が設けられている。
【００３６】
ディスプレイ及び入力装置６のディスプレイ動作のため、アクティブマトリクス層３４のＴＦＴが、従来型アクティブマトリクスディスプレイ装置方式でアドレス指定されて駆動され、ＩＴＯ層３７は、従来型アクティブマトリクスディスプレイ装置方式でコモン電極平面として用いられる。結果的に電気泳動層３６を横切って生じる電界に応答して電気泳動層により生じる電気光学的効果について図４を参照して以下に説明する。
【００３７】
また、図３に概略的に示されていることとして、ディスプレイ及び入力装置６は、ディスプレイ及び入力装置６の前面８側から視認され、これは、ユーザの目１３がディスプレイ及び入力装置６のその側に位置していることによって表され、これに対し、ユーザの指１２からのタッチ入力が、基板３０の後面１０のところ、即ち、ディスプレイ及び入力装置６の後面１０側で行なわれる。
【００３８】
図４は、電気泳動層３６の一層の細部を示す略図（同一縮尺ではない）である。電気泳動層３６は、ポリマー結合剤４４内に設けられたマイクロカプセル４２ａ，４２ｂを有する。マイクロカプセル４２ａ，４２ｂは各々、染色流体４６及び電気泳動顔料粒子４８を有する。かかる材料（例えば、ＩＴＯ層３７及び電気泳動層３６を備えたポリエステルシート３９から成る上述の電子インキ４０の形態をしている）は、米国マサチューセッツ州０２１３８ケンブリッジ・コンコード・アベニュー７３３所在のイー・インキ・コーポレイションから入手できる。
【００３９】
電気泳動顔料粒子４８は、それぞれのマイクロカプセル４２ａ，４２ｂに印加された電圧の正又は負の向きに従ってマイクロカプセル４２ａ，４２ｂの一方の側又は他方の側に移動する（この電圧は、アクティブマトリクス層３４とＩＴＯ層３７のそれぞれのＴＦＴ相互間に印加される）。図４の略図では、マイクロカプセル４２ａに対する印加電圧の向きは、電気泳動含有粒子４８がディスプレイ及び入力装置６の後面１０の最も近くに位置するマイクロカプセル４２ａの側に引き付けられることを意味し、これに対し、マイクロカプセル４２ｂへの印加電圧の逆の向きは、電気泳動含有粒子４８がディスプレイ及び入力装置６の前面８の最も近くに位置するマイクロカプセル４２ｂの側に引き付けられることを意味している。染料流体４６は、濃い色、例えば黒色である。電気泳動含有粒子４８は、明るい色、例えば白色である。かくして、前面８の側から視認すると、マイクロカプセル４２ａは、光が黒色染料流体４６により吸収されるので黒色に見え、マイクロカプセル４２ｂは、光が白色電気泳動含有粒子４８により後方散乱されるので白色に見える。
【００４０】
他の実施形態では、マイクロカプセルは、透明な流体を収容し、２組の電気泳動含有粒子は、各マイクロカプセル内に設けられる。一方の組は、濃い色、例えば黒色であり、一電圧極性方向に引き付けられる。他方の組は、明るい色、例えば白色であり、逆の電圧極性方向に引き付けられる。
【００４１】
図３を参照して説明したような上述の多層構造及び図４を参照して説明したような電気泳動層３６の作用は、例えば上述のワイ・チェン他著の非特許文献に記載されたような公知の電気泳動型ディスプレイ装置（しかしながら、追加の入力装置は備えていない）に一致しており、それ以上の詳細については、この非特許文献に記載されており、かかる非特許文献の記載内容を参照によりここに引用する。
【００４２】
図５は、ディスプレイ及び入力装置６の入力機能を提供する或る特定のコンポーネントの略図である。箔基板３０は、抵抗型シート検出表面として用いられている。交流電圧源５２が、それぞれの電流計５４を介して箔基板３０の各基板コーナ部に結合されている。電流計５４からの出力は、処理回路（図示せず）に結合されている。
【００４３】
動作原理を説明すると、ユーザの指１２が箔基板３０の表面（即ち、ディスプレイ及び入力装置８の後面１０）に触れる（又は、そのすぐ近くに置かれる）。すると、ユーザの指１２と箔基板３０の容量結合に起因してユーザの体を介するアースへの回路が構成される。従来方式で、４つの電流計５４の各々により測定されたそれぞれの電流の相対的大きさを処理して箔基板のコーナ部に対するユーザの指１２の位置、例えば、ｘｙ座標で表される位置を突き止める。交流電圧源、電流計及び位置処理手段は、ＰＤＡ１の上述の制御回路の一部として具体化されている。しかしながら、これら特徴は、有利には、場合によってはディスプレイドライバ回路を備えた状態でディスプレイ及び入力装置６に取り付けられる別個のモジュールの状態で具体化でき、それにより、電子機器の製造業者にとって、モジュール式コンポーネント源として使用可能な自蔵式ディスプレイ及び入力装置が提供される。
【００４４】
図６は、保護層６０、この場合、厚さ数μｍの絶縁体層が箔基板３０の外面を覆って設けられた別の実施形態を示している（図３を参照して上述した同一の層を指示するために同一の参照符号が用いられている）。保護層６０は、金属箔３０の物理的保護手段となる。保護層６０は、ユーザの指１２との上述の容量結合を、保護層が設けられていない場合と比較して実質的に減少させ、又は少なくとも容量結合を依然として検出できるほど十分な程度に減少させることができるほど薄く作られている。
【００４５】
上述の実施形態では、ＰＤＡハウジングは、ユーザの掌にＰＤＡを保持してＰＤＡの保持しているのと同じ手の人差し指及び（又は）中指を用いてディスプレイ及び入力装置の後面に触れるようユーザを促すような形状になっている。それにかかわらず、ユーザは当然のことながら、自分の望むように、保持している手及び（又は）別の手のどの指でも用いることができる。他の実施形態では、ＰＤＡ又は他の電子機器は、他の指、例えば電子機器を保持していない手の１本以上の指を用いるようユーザを促すような形状のものであってよい。
【００４６】
上述の実施形態では、ディスプレイ及び入力装置は、ＰＤＡのその部分のところにＰＤＡの全厚をもたらす。ディスプレイ装置と入力タッチパッドを別々に設ける必要はないので、ＰＤＡのこの部分の厚さ、もっとはっきりと言えば、ＰＤＡの全厚を、従来構造と比較して著しく減少させることができる。
【００４７】
しかしながら、他の実施形態では、所望に応じて、ディスプレイ及び入力装置を比較的厚手のＰＤＡハウジング全体の凹部内に設けてもよく、そして凹部を透明な材料、例えば透明なプラスチック又はガラスで満たし又は覆うのがよい。
【００４８】
上述の実施形態では、ディスプレイ及び入力装置は、ＰＤＡの状態で用いられる。しかしながら、ディスプレイ及び入力装置を任意他の適当な電子機器、特にハンドヘルド型機器、例えば電話の状態で用いてもよく、かかる電話としては、携帯電話、掌型コンピュータ等が挙げられる。
【００４９】
さらに、上述の実施形態のうちの任意のディスプレイ及び入力装置を電子機器の製造業者にとってモジュール式コンポーネント源として使用できる自蔵式ディスプレイ及び入力装置として包装状態で提供できる。かかる装置は、ディスプレイドライバ及び（又は）位置検出回路のうちの所望するほど多くの部分を含むことができる。
【００５０】
上述の実施形態では、ディスプレイ及び入力装置は、可撓性基板を利用している。他の実施形態では、剛性基板を用いてもよい。
【００５１】
しかしながら、もっとはっきりと言えば、基板が可撓性であるとき、ディスプレイ及び入力装置を平らでない表面プロフィールの状態に撓曲したときでも、入力検出位置が自動的に表示位置に追従するという利点をもたらす。電子機器のハウジングは、かかる撓曲を可能にするよう設計されたものであるのがよい。別の特徴として、可撓性ディスプレイ及び入力装置を電子機器の製造業者にとってモジュール式コンポーネント源として提供する場合、これにより、かかる機器の設計者には、従来可能ではなかった設計の自由度（撓曲に関する自由度）が与えられ、又は少なくとも、撓曲したときのディスプレイと入力特徴との間の位置的対応状態が少なくとも或る程度は本来的に維持されているという知識が与えられることになろう。
【００５２】
上述の実施形態では、ディスプレイ及び入力装置は、導電性（例えば、ステンレス鋼）基板を利用している。他の実施形態では、導電性被膜を備えた絶縁基板（例えば、マイラ）を用いることができる。
【００５３】
上述の実施形態では、ディスプレイ及び入力装置のディスプレイ機能の光変調部分は、カプセル封入式の電気泳動層によって提供される。他の実施形態では、非カプセル封入式の電気泳動材料を用いてもよい。さらに、他の実施形態では、他の電気光学的効果又は材料、例えば鋼箔上に実装されたアクティブマトリクスポリマー発光ダイオード（ＡＭＰＬＥＤ）によって提供されるディスプレイ機能を用いてもよい。
【図面の簡単な説明】
【００５４】
【図１】ユーザの手に保持されている携帯型情報端末（ＰＤＡ）の略図（同一縮尺ではない）である。
【図２】図１の携帯型情報端末（ＰＤＡ）の別の略図（同一縮尺ではない）であり、ＰＤＡを構成するディスプレイ及び入力装置の前面のところで視認できる表示画像の一例を示す図である。
【図３】図２に関して上述したディスプレイ及び入力装置を構成する種々の層の概略断面図である。
【図４】図２及び図３に関して上述したディスプレイ及び入力装置を構成する電気泳動層の細部を示す略図（同一縮尺ではない）である。
【図５】図２〜図４を参照して上述したディスプレイ及び入力装置の入力機能を提供する或る特定のコンポーネントの略図である。
【図６】保護層が箔基板の外面を被って設けられた別のディスプレイ及び入力装置の概略断面図である。
【図１】
2007500389.tif 000003
【図２】
2007500389.tif 000004
【図３】
2007500389.tif 000005
【図４】
2007500389.tif 000006
【図５】
2007500389.tif 000007
【図６】
2007500389.tif 000008
【国際調査報告】
2007500389.tif 000009
2007500389.tif 000010
2007500389.tif 000011
2007500389.tif 000012
2007500389.tif 000013